(57)【要約】【課題】本発明は流体の流量を測定する流量計測装置に関するものであり、反射体により超音波を反射させて送受信器の設置を容易にし高精度な流量計測を行う。【解決手段】矩形状の流路の上流と下流に送受信器を設け、その超音波伝搬時間を計測して流体の流量を算出する流量計測装置で、流路の長辺側の面に送受信器を配置するとともに反射体を介して相互に超音波を伝搬させる流体中に超音波を送信または受信させる。これにより送受信器の設置の自由度が高く、雑音ノイズを受けにくく、高精度な流量計測が行える。【選択図】図３
2009168829.tif 000002
【特許請求の範囲】
【請求項１】
矩形の断面形状を有する流路と、前記流路を挟んで上流と下流とに配置されるとともに超音波を送信または受信する送受信器と、前記送受信器間の超音波伝搬時間を計測する計時手段と、前記超音波伝搬時間に応じて流体の流量を算出する流量算出手段とを備え、
前記送受信器の送受信面は前記流路を挟んで対向するものではなく、また超音波は反射体を介して相互に伝搬される流量計測装置において、
前記送受信器は、流路の一の面を上面とした場合、前記送受信面が下に向くように取り付けられ、
超音波は、前記送受信面から下向きに送信され、前記反射体によって９０度方向を変えられた後に前記流路に入り、流体の流れ方向に対して斜交するように伝搬し、前記流路から出た後に前記反射体によって再び９０度方向を変えられて上に向き、前記送受信面に届き受信されるものであり、
前記送受信器は前記上面に対して垂直同方向に取り付けられ、
前記反射体の反射面を凸面もしくは凹面で形成した、
流量計測装置。
【請求項２】
前記反射体は前記流路とは別体で構成した請求項１記載の流量計測装置。
【発明の詳細な説明】
【技術分野】
【０００１】
本発明は、ガスなどの流量を計測する流量計測装置に関するものである。
【背景技術】
【０００２】
従来のこの種の流量計測装置は、図８に示すように、矩形状の流体管路１の一部に超音波送受信器２ａ、２ｂを備え、計測開始手段３の信号によって流量計測を開始し、超音波送受信器２ａから２ｂまでの伝搬時間を計測し、その伝搬時間を基に流量を算出している。流れの検出を正確に行う場合には流路全面を検出する必要があり、図のように矩形状の流路を横断するような送受信器の配置が行われていた。またさらに正確を期すために、流路内を超音波が２〜３回往復するＶパスやＷパスも行われていた。
【発明の概要】
【発明が解決しようとする課題】
【０００３】
しかしながら従来の流量計測装置では、次のような課題があった。すなわち、流体の流れに対して送受信器の位置が限定され、取り付けの自由度が小さい。このためレイアウトの制限を受けるので装置が大型になり、送受信器を最適な位置に取り付けることができず、内外のノイズを受けて計測精度が悪化することがあった。このためガスメータなどの小型装置では安価で流量計測精度の高い計測装置が求められていた。
【課題を解決するための手段】
【０００４】
上記課題を解決するために、本発明の流量計測装置は、流路の上流と下流に送受信器を配設し超音波を伝搬させて流量計測を行うに際し、送受信面を下向きにして超音波を下向きに送信し、反射面が凸面もしくは凹面の反射体によって９０度方向を変え、流体の流れに対して斜交して超音波を伝搬させ、反射体によって再び９０度方向を変え、下向きの送受信面に対して下から超音波を受信させる構成により、送受信器の配置の自由度が高く小型で組立が容易に行え、ノイズの影響を受けにくい計測が行える。
【発明の効果】
【０００５】
以上のように本発明によれば、送受信器の設置の自由度が高く、小型で雑音の少ない流量計測が行える。
【図面の簡単な説明】
【０００６】
【図１】本発明の実施の形態１の流量計測装置のブロック図
【図２】同装置の流路の断面図
【図３】図２のＡ−Ａ断面図
【図４】同装置の流路の断面図
【図５】同装置の反射体の構成図
【図６】同装置の反射体の構成図
【図７】同装置の反射体の構成図
【図８】従来の流量計測装置のブロック図
【発明を実施するための形態】
【０００７】
第１の発明は、矩形の断面形状を有する流路と、前記流路を挟んで上流と下流とに配置されるとともに超音波を送信または受信する送受信器と、前記送受信器間の超音波伝搬時間を計測する計時手段と、前記超音波伝搬時間に応じて流体の流量を算出する流量算出手段とを備え、前記送受信器の送受信面は前記流路を挟んで対向するものではなく、また超音波は反射体を介して相互に伝搬される流量計測装置において、前記送受信器は、流路の
一の面を上面とした場合、前記送受信面が下に向くように取り付けられ、超音波は、前記送受信面から下向きに送信され、前記反射体によって９０度方向を変えられた後に前記流路に入り、流体の流れ方向に対して斜交するように伝搬し、前記流路から出た後に前記反射体によって再び９０度方向を変えられて上に向き、前記送受信面に届き受信されるものであり、前記送受信器は前記上面に対して垂直同方向に取り付けられ、前記反射体の反射面を凸面もしくは凹面で形成したものであるため、正確な伝搬時間を算出できるとともに、送受信器の組み付けが容易となる。
【０００８】
請求項２記載の発明は、反射体は流路とは別体で構成したものであり、反射体の位置または傾斜角度を変更したり、製造時のバラツキによって生じる超音波の送信位置のずれを容易に調節することができる。
【０００９】
以下、本発明の実施の形態について図面を用いて説明する。
【００１０】
（実施の形態１）
以下、本発明の第１の実施の形態を図面に基づいて説明する。図１において、流路３の途中に超音波を発信する送受信器４ａと受信する送受信器４ｂが流れ方向に配置されている。５は送受信器４ａへの発信手段、６は送受信器４ｂで受信した信号の増幅手段で、この増幅された信号は基準信号と比較手段７で比較され、基準信号以上の信号が検出されたとき計時手段８で超音波の伝搬時間を計測する。９は送受信器４ａと４ｂの送受の方向を変える切換手段、１０は計時手段からの値に基づいて流量値を算出する流量算出手段である。
【００１１】
次に動作について説明する。まず発信手段５から送受信器４ａへ信号が送られ、超音波は送受信器４ｂて到達する。この信号は増幅手段で増幅され、比較手段７で基準信号と比較され基準信号以上の信号が検出されたとき、計時手段８で発信から受信までの超音波の伝搬時間を計測する。
【００１２】
次に切換手段９で送受信器４ａと送受信器４ｂの発信受信を切り換えて、送受信器４ｂから送受信器４ａへ超音波信号を発信し、この発信を前述のように、その時間を計時する。そしてその時間差から管路の大きさや流れの状態を考慮して流量算出手段で流量値を求める。
【００１３】
図２は流量計測装置の平面図で送受信器４ａと４ｂの配置をあらわしている。その流路３の内部は断面がほぼ矩形の形状で、送受信器４ａと４ｂは流路３の上面（長辺の面）に取り付けられ、矩形の長辺を超音波が横断するように流路に対して所定の角度を有している。図３は図２のＡ−Ａ断面を表したもので、送受信器４ａと４ｂは超音波の送受信面（矢印Ｂ）を下向きにして取り付けてある。反射体３ａと３ｂは超音波を反射させて方向を変えるもので、図では方向を９０度変えている。超音波は送受信器４ａから送信されると下方向に進んで反射体３ａで反射し、流路３ｃ内を水平に伝搬し、反射体３ｂに反射して送受信器４ｂで受信される。送受信器３ｂから発信する場合には逆の経路を通過して送受信器３ａへ伝搬する。図の矢印は超音波の中心が伝搬する様子を示す。図２では送受信器４ａと４ｂが同一平面内に配置されており、１方向からの着脱ができて組立が容易になる。
【００１４】
図４は本実施の形態を示す断面図で、反射体３ｄと３ｅは図３とは角度が異なっている。送受信器４ａから発信された超音波は反射体３ｄで反射すると水平より下向きに進み、流路３ｃの下面で反射して、さらに流路３ｃの上面、下面と反射して、反射体３ｅから送受信器４ｂで受信される。このように流路の上下で反射することにより超音波は流路内３ｃの上下面に関して平均的な位置を通過する。このため流路内３ｃの中で上下（短辺）方
向に流速分布が発生していても平均的に影響を受ける。図２に示すように流路内３ｃの長辺方向にも超音波は横断的に伝搬しているから超音波は流路全体の平均的な速度を計測する。
【００１５】
図５は本実施の形態の要部を示す断面図である。反射体１１は別部品で構成されその軸方向の位置あるいは回転方向の位置を変えることができる。図５の２点鎖線は軸方向に移動させた場合で、反射面の中心は上方向に移動するので超音波は流路内３ｃの中心より上面を伝搬する。すなわち反射体１１の位置を変えることにより、超音波の通過位置を自由に変化させることができる。
【００１６】
図６は本実施の形態の要部を示す断面図である。図６は反射体３ａの反射面を曲面に形成させている。反射体３ｆは反射面を凸面に形成してあり超音波を拡散し、３ｇは反射面を凹面に形成してあり超音波を収束させる。超音波を拡散すると流路内３ｃの全域に超音波が広がって流路全域の流れを検出する。また超音波を収束させると超音波の減衰が小さくなり正確な伝搬時間を算出できる。
【００１７】
図７は本実施の形態を示す断面図である。図７では送受ユニット１２ａとして送受信器４ａと反射体３ａを一体にして、送受ユニット１２ｂとして送受信器４ｂと反射体３ｂを一体にして流路３と別部品で構成させている。送受ユニットを流路本体と切り離すと加工性が容易になり、また流路サイズが変化しても汎用部品として使える。また樹脂成形品のような不導電性で作成すると超音波送信時に送受信体に印可するパルスから発生する電磁ノイズが低減する。
【符号の説明】
【００１８】
３  流路
３ａ、３ｂ、３ｄ、３ｅ、３ｆ、３ｇ  反射体
４ａ、４ｂ  送受信器
８  計時手段
１０  流量演算手段
１１  反射体
１２  送受ユニット
【図１】
2009168829.tif 000003
【図２】
2009168829.tif 000004
【図３】
2009168829.tif 000005
【図４】
2009168829.tif 000006
【図５】
2009168829.tif 000007
【図６】
2009168829.tif 000008
【図７】
2009168829.tif 000009
【図８】
2009168829.tif 000010